(57)【特許請求の範囲】
【請求項１】
第１の通信方式により通信を行う第１の通信手段と、
第２の通信方式により通信を行う第２の通信手段と、
予め定めた設定値に基づいて、前記第１の通信手段による通信状態を判断する判断手段と、
前記判断手段による判断結果に基づいて第１の通信手段および第２の通信手段を制御する制御手段とを備え、
前記制御手段は、
前記判断手段により前記第１の通信手段による通信状態が良好であると判断された場合に、さらに、前記第１の通信手段の通信状態の履歴に基づいて、前記第１の通信手段の通信状態が良好傾向にあると判断されると、前記第２の通信手段の起動状態を停止し、前記第１の通信手段の通信状態の履歴に基づいて前記第１の通信手段の通信状態が不良傾向にあり、かつ前記第１の通信手段の次回の通信状態が不良状態であると判断されると、前記第２の通信手段を通信接続状態とさせ、
前記判断手段により前記第１の通信手段による通信状態が不良であると判断された場合、または、前記判断手段により前記第１の通信手段による通信状態が良好であり、前記第１の通信手段の通信状態の履歴に基づいて前記第１の通信手段の通信状態が不良傾向にあり、かつ前記第１の通信手段の次回の通信状態が不良状態ではないと判断された場合には、前記第２の通信手段を起動状態とする若しくは起動状態を継続させる、
制御を行うことを特徴とする通信端末。
【請求項２】
前記判断手段は、前記第１の通信手段により検出される電波強度が予め定めた設定値以上、またはパケットロス値が設定値以下であるか否かにより、前記第１の通信手段による通信が可能であるか否かを判断することを特徴とする請求項１に記載の通信端末。
【請求項３】
前記判断手段は、電波強度に基づいて前記第１の通信手段の通信状態を判断し、前記第１の通信手段の電波強度が前記設定値より大きい場合には、前記第１の通信手段の通信状態が良好であると判断し、前記第１の通信手段の電波強度が前記設定値より小さい値に設定されている第２の設定値により小さい場合には、前記第１の通信手段の通信状態が不良であると判断することを特徴とする請求項１または２に記載の通信端末。
【請求項４】
前記判断手段は、前記第１の通信手段のパケットロス値に基づいて前記第１の通信手段の通信状態を判断し、前記第１の通信手段のパケットロス値が前記設定値より小さい場合には、前記第１の通信手段の通信状態が良好であると判断し、前記第１の通信手段のパケットロス値が前記設定値より大きい値に設定されている第２の設定値により大きい場合には、前記第１の通信手段の通信状態が不良であると判断することを特徴とする請求項１または２に記載の通信端末。
【請求項５】
第１の通信方式により通信を行う第１の通信手段と、第２の通信方式により通信を行う第２の通信手段と、を備える通信端末の通信方法において、
予め定めた設定値に基づいて、前記第１の通信手段による通信状態を判断する判断ステップと、
前記判断ステップによる判断結果に基づいて第１の通信手段および第２の通信手段を制御する制御ステップとを備え、
前記制御ステップは、
前記判断ステップにより前記第１の通信手段による通信状態が良好であると判断された場合に、さらに、前記第１の通信手段の通信状態の履歴に基づいて前記第１の通信手段の通信状態が良好傾向にあると判断されると、前記第２の通信手段の起動状態を停止し、前記第１の通信手段の通信状態の履歴に基づいて前記第１の通信手段の通信状態が不良傾向にあり、かつ前記第１の通信手段の次回の通信状態が不良状態であると判断されると、前記第２の通信手段を通信接続状態とさせ、
前記判断ステップにより前記第１の通信手段による通信状態が不良であると判断された場合、または、前記判断ステップにより前記第１の通信手段による通信状態が良好であり、前記第１の通信手段の通信状態の履歴に基づいて前記第１の通信手段の通信状態が不良傾向にあり、かつ前記第１の通信手段の次回の通信状態が不良状態ではないと判断された場合には、前記第２の通信手段を起動状態とする若しくは起動状態を継続させる、
制御を行うことを特徴とする通信方法。
【発明の詳細な説明】
【技術分野】
【０００１】
本発明は、複数の通信網に対して通信接続する通信装置および通信方法に関する。
【背景技術】
【０００２】
ＩＭＴ（International Mobile Telecommunications）−２０００など国際規格で定められた移動通信機能と、アクセスポイントに対して無線通信を行うことができるワイヤレスＬＡＮ通信機能を有する移動機は、例えば特開平２００４−２３５９７６号公報（特許文献１）に記載されているように知られている。この特許文献１には、移動機の位置に応じて移動通信機能とワイヤレスＬＡＮ通信機能とを使い分けることが記載されている。
【特許文献１】特開２００４−２３５９７６号公報
【発明の開示】
【発明が解決しようとする課題】
【０００３】
しかしながら、移動機は内蔵するバッテリーで動作しているため、移動通信機能とワイヤレスＬＡＮ通信機能とを起動状態とさせた場合、その起動状態で通信することなく待機していたとしてもバッテリーが消耗してしまう。特にワイヤレスＬＡＮ通信機能は消費電力が大きく、パワーセーブモードという省電力機能を使っても、バッテリーは激しく消耗してしまう場合がある。
【０００４】
そこで、上述の課題を解決するために、本発明では、第１の通信手段または第２の通信手段によるいずれかの通信状態を確保しつつ、消費電力を削減することができる通信端末および通信方法を提供することを目的とする。
【課題を解決するための手段】
【０００５】
上述の課題を解決するために、本発明の通信端末は、第１の通信方式により通信を行う第１の通信手段と、第２の通信方式により通信を行う第２の通信手段と、予め定めた設定値に基づいて、上記第１の通信手段による通信状態を判断する判断手段と、上記判断手段による判断結果に基づいて第１の通信手段および第２の通信手段を制御する制御手段とを備え、上記制御手段は、上記判断手段により上記第１の通信手段による通信状態が良好であると判断された場合に、さらに、上記第１の通信手段の通信状態の履歴に基づいて、上記第１の通信手段の通信状態が良好傾向にあると判断されると、上記第２の通信手段の起動状態を停止し、上記第１の通信手段の通信状態の履歴に基づいて上記第１の通信手段の通信状態が不良傾向にあり、かつ上記第１の通信手段の次回の通信状態が不良状態であると判断されると、上記第２の通信手段を通信接続状態とさせ、上記判断手段により上記第１の通信手段による通信状態が不良であると判断された場合、または、上記判断手段により上記第１の通信手段による通信状態が良好であり、上記第１の通信手段の通信状態の履歴に基づいて上記第１の通信手段の通信状態が不良傾向にあり、かつ上記第１の通信手段の次回の通信状態が不良状態ではないと判断された場合には、上記第２の通信手段を起動状態とする若しくは起動状態を継続させる、制御を行うことを特徴とする。
なお、上記判断手段は、電波強度に基づいて上記第１の通信手段の通信状態を判断し、上記第１の通信手段の電波強度が上記設定値より大きい場合には、上記第１の通信手段の通信状態が良好であると判断し、上記第１の通信手段の電波強度が上記設定値より小さい値に設定されている第２の設定値により小さい場合には、上記第１の通信手段の通信状態が不良であると判断することが好ましい。
また、上記判断手段は、上記第１の通信手段のパケットロス値に基づいて上記第１の通信手段の通信状態を判断し、上記第１の通信手段のパケットロス値が上記設定値より小さい場合には、上記第１の通信手段の通信状態が良好であると判断し、上記第１の通信手段のパケットロス値が上記設定値より大きい値に設定されている第２の設定値により大きい場合には、上記第１の通信手段の通信状態が不良であると判断することが好ましい。
【０００６】
また、本発明の通信方法は、第１の通信方式により通信を行う第１の通信手段と、第２の通信方式により通信を行う第２の通信手段と、を備える通信端末の通信方法において、予め定めた設定値に基づいて、上記第１の通信手段による通信状態を判断する判断ステップと、上記判断ステップによる判断結果に基づいて第１の通信手段および第２の通信手段を制御する制御ステップとを備え、上記制御ステップは、上記判断ステップにより上記第１の通信手段による通信状態が良好であると判断された場合に、さらに、上記第１の通信手段の通信状態の履歴に基づいて上記第１の通信手段の通信状態が良好傾向にあると判断されると、上記第２の通信手段の起動状態を停止し、上記第１の通信手段の通信状態の履歴に基づいて上記第１の通信手段の通信状態が不良傾向にあり、かつ上記第１の通信手段の次回の通信状態が不良状態であると判断されると、上記第２の通信手段を通信接続状態とさせ、上記判断ステップにより上記第１の通信手段による通信状態が不良であると判断された場合、または、上記判断ステップにより上記第１の通信手段による通信状態が良好であり、上記第１の通信手段の通信状態の履歴に基づいて上記第１の通信手段の通信状態が不良傾向にあり、かつ上記第１の通信手段の次回の通信状態が不良状態ではないと判断された場合には、上記第２の通信手段を起動状態とする若しくは起動状態を継続させる、制御を行う。
【０００７】
この発明によれば、通信端末は第１の通信方式により通信を行う第１の通信手段と第２の通信方式により通信を行う第２の通信手段とを備えており、予め定めた設定値に基づいて、第１の通信手段による通信が可能か否かを判断し、第１の通信手段による通信が可能ではあると判断された場合には、第２の通信手段の起動状態を停止し、第１の通信手段による通信が可能ではないと判断された場合には、第２の通信手段の起動状態を継続するよう、第２の通信手段を制御することができる。これにより、第1の通信手段が通信可能であるときには、第２の通信手段の起動状態を停止することができ、通信状態を確保しつつ、第２の通信手段の起動状態による電力消費を低減することができる。
【発明の効果】
【００１４】
本発明は、第1の通信手段が通信可能であるときには、第２の通信手段の起動状態を停止することができ、通信状態を確保しつつ、第２の通信手段の起動状態による電力消費を低減することができる。
【発明を実施するための最良の形態】
【００１５】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００１６】
図１は、本実施形態に係る移動機１００のブロック図である。この移動機１００は、通信モジュール、ＣＰＵ、メモリなどのハードウエアから構成されており、無線通信部１０１（第１の通信手段または第２の通信手段）、無線通信状態測定部１０２、ＷＬＡＮ通信部１０３（第１の通信手段または第２の通信手段）、ＷＬＡＮ通信状態測定部１０４、通信状態監視部１０５（判断手段）、増減平均値算出部１０６、通信状態プロファイル部１０７（判断手段）、および制御部１０８（制御手段）を含んで構成されている。以下、各構成要素について説明する。
【００１７】
無線通信部１０１は、移動通信網と通信接続する部分であり、例えば国際規格ＩＭＴ−２０００で定められた通信方式に従って通信相手と通信することができる。この無線通信部１０１により得られた音声信号またはパケットデータは、通話またはデータ処理のために、信号処理部（図示せず）などで処理される。なお、この無線通信部１０１は、音声信号またはパケットデータを受信する際に、受信した電波を無線通信状態測定部１０２に出力する。
【００１８】
無線通信状態測定部１０２は、無線通信部１０１による無線通信状態を観測し、無線通信を良好に行うことができるか否かを示す通信状態を測定する部分である。具体的には、無線通信状態測定部１０２は無線通信部１０１により受信した電波の強度、すなわち電波の受信レベル（単位はｄＢｍ）を測定する。無線通信状態測定部１０２は、測定した通信状態を示す状態情報を通信状態監視部１０５に出力する。なお、無線通信状態測定部１０２は、移動通信網を経由して受信したパケットデータのパケットロス値を測定することにより、無線通信を良好に行うことができるか否かを示す通信状態を測定するようにしても良い。なお、パケットロス値とは、受信すべき全パケットデータから受信することに失敗したパケット数を示す数値データである。
【００１９】
ＷＬＡＮ（WirelessLocal Area Network）通信部１０３は、ＷＬＡＮのアクセスポイントと通信接続する部分であり、例えばＩＥＥＥ８０２．１１で定められた通信方式に基づいて通信することができる。ＷＬＡＮ通信部１０３により得られた音声信号またはパケットデータは、通話またはデータ処理のために、信号処理部（図示せず）などで処理される。なお、ＷＬＡＮ通信部１０３は、音声信号またはパケットデータを受信する際に、受信した電波をＷＬＡＮ通信状態測定部１０４に出力する。
【００２０】
ＷＬＡＮ通信状態測定部１０４は、ＷＬＡＮ通信部１０３によるＷＬＡＮ通信状態を観測し、ＷＬＡＮ通信を良好に行うことができるか否かを示す通信状態を測定する部分である。具体的には、ＷＬＡＮ通信状態測定部１０４は、ＷＬＡＮ通信部１０３により受信された電波の強度、すなわち電波の受信レベル（単位はｄＢｍ）を測定する。なお、ＷＬＡＮ通信状態測定部１０４は、ＷＬＡＮを経由して受信したパケットデータのパケットロス値を測定するようにしてもよい。このＷＬＡＮ通信状態測定部１０４は、測定した通信状態を示す状態情報（例えば、測定した電波強度またはパケットロス値）を通信状態監視部１０５に出力する。
【００２１】
通信状態監視部１０５は、無線通信状態測定部１０２またはＷＬＡＮ通信状態測定部１０４から出力された通信状態を示す状態情報（例えば、電波強度またはパケットロス値）を監視する部分であり、具体的には、出力された電波強度（またはパケットロス値）を、出力されるごとに記憶し、記憶した電波強度（またはパケットロス値）を増減平均値算出部１０６に出力する。また、通信状態監視部１０５は、電波強度が予め定めた設定値以上（またはパケットロス値が予め定めた設定値以下）である場合、増減平均値算出部１０６および通信状態プロファイル部１０７に対して次回の確認時の通信状態が良好であるか否かを予測させる制御を行う。
【００２２】
また、通信状態監視部１０５は、無線通信部１０１またはＷＬＡＮ通信部１０３が通信開始したときに、無線通信状態測定部１０２またはＷＬＡＮ通信状態測定部１０４により測定された電波強度が予め定めた設定値以上（またはパケットロス値が予め定めた設定値以下）である場合、その旨を制御部１０８に出力するようにしてもよい。この場合、制御部１０８は、通信をしていない一方の通信部（無線通信部１０１またはＷＬＡＮ通信部１０３のいずれか）をスリープ状態に移行する制御を行う。
【００２３】
増減平均値算出部１０６は、通信状態監視部１０５から出力された電波強度（またはパケットロス値）の履歴に基づいて、電波強度（またはパケットロス値）の増減傾向を示す増減平均値を算出する部分である。増減平均値算出部１０６は、算出した増減平均値を通信状態プロファイル部１０７に出力する。
【００２４】
通信状態プロファイル部１０７は、増減平均値算出部１０６から出力された増減平均値に基づいて、今後の通信状態が良好になる傾向であるか、不良となる傾向であるかをプロファイル（予測）する部分であり、具体的には、電波強度（またはパケットロス値）が増加傾向であるか、減少傾向であるか、または不変状態であるかをプロファイル（予測）する部分である。なお、電波強度が微小に減少する減少傾向は不変状態として扱われても良く、またパケットロス値が微小に増加する増加傾向は不変状態として扱われても良い。そして、通信状態プロファイル部１０７は、電波強度が増加傾向、またはパケットロス値が減少傾向にあると判断する場合は、その旨を示す指示信号を制御部１０８に対して出力する。
【００２５】
例えば、通信状態プロファイル部１０７は、電波強度が減少傾向にある場合、またはパケットロス値が増加傾向にある場合は、無線通信状態測定部１０２により測定された電波強度またはパケットロス値に基づいて、通信状態の傾向について予測し、今後送受信される電波の電波強度が予め定めた設定値以下であると判断した場合（または、パケットロス値が予め定めた設定値以上であると判断した場合）、ＷＬＡＮ通信部１０３による通信を行うための準備を行うよう制御部１０８に指示信号を出力する。なお、通信状態プロファイル部１０７は、ＷＬＡＮ通信部１０３の通信状態を予測して、無線通信部１０１による通信準備を行うようにしても良い。
【００２６】
制御部１０８は、通信状態プロファイル部１０７から出力された電波強度（またはパケットロス値）の傾向を示す指示信号を入力し、その指示情報で示す傾向に基づいて無線通信部１０１またはＷＬＡＮ通信部１０３を制御する部分である。具体的には、制御部１０８は、無線通信部１０１が通信中（または待受け中）に電波強度が増加傾向または不変状態であることを示す指示情報を入力すると、ＷＬＡＮ通信部１０３をスリープ状態にするよう制御する。また、制御部１０８は、ＷＬＡＮ通信部１０３が通信中（または待受け中）に電波強度が増加傾向または不変状態であることを示す指示情報を入力すると、無線通信部１０１をスリープ状態に移行するよう制御する。なお、スリープ状態とは、起動状態が停止している状態をいい、さらに具体的には、無線通信部１０１またはＷＬＡＮ通信部１０３が通電されず、電力が供給されていない状態をいう。
【００２７】
また、制御部１０８は、通信状態プロファイル部１０７から出力された電波強度（またはパケットロス値）の傾向に基づいて、現在通信している通信部の通信状態が不良であると判断できる場合は、他方の通信部による通信を実行できるよう準備処理を行う。特に、ＷＬＡＮ通信部１０３を通信させるためには、予め帰属先等を検索する処理が必要である。
【００２８】
また、制御部１０８は、無線通信部１０１またはＷＬＡＮ通信部１０３が通信開始したときに、無線通信状態測定部１０２またはＷＬＡＮ通信状態測定部１０４により測定された電波強度が予め定めた設定値以上である旨（または、パケットロス値が予め定めた設定値以下である旨）を通信状態監視部１０５から入力した場合、制御部１０８は、無線通信部１０１またはＷＬＡＮ通信部１０３に対してスリープ状態に移行するよう制御する。すなわち、例えば、制御部１０８は、無線通信部１０１による通信が開始されたとき（または待受け中）に、測定された電波強度が予め定めた設定値以上である場合には、ＷＬＡＮ通信部１０３をスリープ状態に移行するように制御し、ＷＬＡＮ通信部１０３による通信が開始されたときに（または待受け中）、測定された電波強度が予め定めた設定値以上である場合には、無線通信部１０１をスリープ状態に移行するように制御する。
【００２９】
このように構成された移動機１００は、電波強度またはパケットロス値に基づいて、通信開始をしていない、または通信中ではない無線通信部１０１またはＷＬＡＮ通信部１０３をスリープ状態に移行させることができる。
【００３０】
つぎに、この移動機１００の通話開始時の動作について説明する。図２は、通信開始時におけるＷＬＡＮ通信部１０３をスリープ状態に移行するときの動作を示すフローチャートである。なお、通信状態を測定するパラメータとして電波強度を用いて説明するが、パケットロス値を用いた場合でも同様の処理を行うことができる。
【００３１】
無線通信部１０１により通信が開始され、通話状態が確立される（Ｓ１０１）。そして、無線通信部１０１による通信の電波強度が無線通信状態測定部１０２により測定され、通信状態監視部１０５により予め定めた設定値以上であるか否かが監視される。通信状態監視部１０５において、電波強度が予め定めた設定値以上であると判断された場合（Ｓ１０２）、その旨が制御部１０８に出力され、制御部１０８において、ＷＬＡＮ通信部１０３の機能を停止させ、電源を非供給状態、すなわちスリープ状態に移行するよう制御信号が出力される。ＷＬＡＮ通信部１０３は、この制御信号を受けると、スリープ状態に移行する（Ｓ１０３）。
【００３２】
なお、パケットロス値を用いた場合には、パケットロス値が予め定めた設定値以下である場合には、Ｓ１０３に進み、パケットロス値が予め定めた設定値より大きい場合には、Ｓ１０４に進む処理を行っても良い。
【００３３】
また、通信状態監視部１０５において、電波強度が予め定めた設定値以上ではないと判断された場合（Ｓ１０２）、その旨が制御部１０８に出力され、制御部１０８において、ＷＬＡＮ通信部１０３を、現状態（またはパワーセーブモード）を維持するよう制御信号が出力される（Ｓ１０４）。なお、維持のための制御信号を出力しないようにしてもよい。
【００３４】
このように、本実施形態の移動機１００は、無線通信部１０１において通話が確立されたときは、電波強度に基づいて、ＷＬＡＮ通信部１０３をスリープ状態に移行するようにすることができる。なお、ＷＬＡＮ通信部１０３において通信が確立されたときに、電波強度に基づいて、無線通信部１０１をスリープ状態に移行するようにするようにしてもよい。また、通話中、または通話状態が確立されたときの処理として説明したが、着信の待ち受け中であっても同様の処理を行うことができる。
【００３５】
つぎに、現状の通信状態（電波強度）から将来の通信状態（電波強度）を予測してＷＬＡＮ通信部１０３をスリープ状態に移行させるときの動作について説明する。図３は、移動機１００の通話中（または着信の待ち受け中）におけるＷＬＡＮ通信部１０３をスリープ状態に移行するときの動作を示すフローチャートである。
【００３６】
無線通信部１０１による通話（または通信）がなされている最中に（Ｓ２０１）、周期的に無線通信部１０１による通信の電波強度の確認が通信状態監視部１０５により行われる（Ｓ２０２）。なお、着信の待ち受け中に電波強度の確認処理が行われても良い。そして、通信状態監視部１０５により監視された電波強度が予め定められた設定値Ａ以上であるか否かが、通信状態監視部１０５により判断される（Ｓ２０３）。
【００３７】
ここで、通信状態監視部１０５により、電波強度が設定値Ａ以上ではないと判断された場合（Ｓ２０３）、Ｓ３０１に進む。このＳ３０１以降の処理について後述する。また、通信状態監視部１０５により、電波強度が設定値Ａ以上であると判断された場合（Ｓ２０３）、増減平均値算出部１０６により、電波強度の履歴に基づいた電波強度の増減の傾向を示す増減平均値が算出され、通信状態プロファイル部１０７により電波強度の増減のプロファイルが確認される（Ｓ２０４）。Ｓ２０４において、電波強度が増加傾向または不変状態であると、通信状態プロファイル部１０７により判断された場合、制御部１０８の制御によりＷＬＡＮ通信部１０３への電源供給が遮断され、その機能が停止し、起動状態からスリープ状態に移行される（Ｓ２０５）。なお、スリープ状態にすでにある場合には、そのスリープ状態を継続させる。そして、Ｓ２０１に戻り、再度所定周期ごとに電波強度の確認が行われる。
【００３８】
また、Ｓ２０４において、電波強度が減少傾向であると、通信状態プロファイル部１０７により判断された場合、減少平均値に基づいて次回の電波強度確認時に測定される電波強度が設定値Ａ以下になるか否かが、通信状態プロファイル部１０７により判断される（Ｓ２０６）。ここで、次回に測定される電波強度が設定値Ａ以下ではないと判断された場合、何も処理することなく、Ｓ２０１に戻る。電波強度が設定値Ａ以下であると通信状態プロファイル部１０７により判断された場合、さらに、電波強度が設定値Ａより小さい値に設定されている設定値Ｂ以下になるか否かが通信状態プロファイル部１０７により判断される（Ｓ２０７）。
【００３９】
Ｓ２０７において、電波強度が設定値Ａより小さい値に設定されている設定値Ｂ以下であると、通信状態プロファイル部１０７により判断された場合、ＷＬＡＮ通信部１０３に対して、帰属先の検索処理、すなわちアクセスポイントに対する通信接続処理が行われるよう制御される（Ｓ２０８）。電波強度が設定値Ａより小さい値に設定されている設定値Ｂ以下ではないと、通信状態プロファイル部１０７により判断された場合、Ｓ３０１に進み、ＷＬＡＮ通信部１０３の機能がオン（起動状態）され、またはオン状態が継続されるように制御される。
【００４０】
つぎに、Ｓ２０３において電波強度が設定値Ａ以上ではないと判断された場合、またはＳ２０７において、設定値Ｂ以下ではないと判断された場合の移動機１００の動作について説明する。図４は、Ｓ２０３において電波強度が設定値Ａ以上ではないと判断された場合、またはＳ２０７において、設定値Ｂ以下ではないと判断された場合における、ＷＬＡＮ通信部１０３をスリープ状態に移行するための再確認処理を行うときの移動機１００の動作を示すフローチャートである。
【００４１】
Ｓ２０３において電波強度が設定値Ａ以上ではないと判断された場合、またはＳ２０７において、設定値Ｂ以下ではないと判断された場合、ＷＬＡＮ通信部１０３がオン（起動状態）にされ、またはオン状態が継続される（Ｓ３０１）。なお、ＷＬＡＮ通信部１０３はパワーセーブモードであることが望ましい。なお、パワーセーブモードとは、起動状態とスリープ状態とが交互に入れ替わるモードのことをいう。そして、無線通信部１０１による通信の電波強度確認の周期になると（Ｓ３０２）、無線通信部１０１による通信の電波強度が設定値Ｂ以下であるか否かが、通信状態監視部１０５により判断される（Ｓ３０３）。通信状態監視部１０５により、電波強度が設定値Ｂ以下になると判断された場合、ＷＬＡＮ通信部１０３による通信を可能にするために、帰属先の検索処理、すなわちアクセスポイントに対する通信接続処理が行われる（Ｓ３０４）。
【００４２】
Ｓ３０３において、電波強度が設定値Ｂ以下ではないと、通信状態監視部１０５により判断された場合、増減平均値算出部１０６により電波強度の履歴に基づいて電波強度の増減傾向を示す増減平均値が算出され、この増減平均値に基づいて通信状態プロファイル部１０７によりプロファイリング確認が行われる（Ｓ３０５）。通信状態プロファイル部１０７によるプロファイリング確認の結果、電波強度が減少傾向にある場合、さらに、次回の強度確認時に電波強度が設定値Ｂ以下になるか否かが、通信状態プロファイル部１０７により判断される（Ｓ３０６）。
【００４３】
Ｓ３０６において、次回の電波強度が設定値Ｂ以下になると、通信状態プロファイル部１０７により判断された場合、ＷＬＡＮ通信部１０３による通信を可能にするために、帰属先の検索処理、すなわちアクセスポイントに対する通信接続処理が行われる（Ｓ３０４）。また、Ｓ３０６において、次回の電波強度が設定値Ｂ以下ではないと、通信状態プロファイル部１０７により判断された場合、Ｓ３０２に戻り、電波強度の確認の周期ごとに上述の処理が繰り返される。
【００４４】
また、Ｓ３０５において、通信状態プロファイル部１０７によるプロファイルの確認の結果、電波強度が増加傾向または不変状態（微小の減少傾向を含んでも良い）にある場合、さらに、次回の強度確認時に電波強度が設定値Ａ以上になるか否かが、通信状態プロファイル部１０７により判断される（Ｓ３０７）。ここで、次回の電波強度が設定値Ａ以上になると、通信状態プロファイル部１０７により判断された場合、ＷＬＡＮ通信部１０３に対する電源供給が遮断され、スリープ状態に移行するよう、制御部１０８によりＷＬＡＮ通信部１０３は制御される（Ｓ３０８）。Ｓ３０８を経て、Ｓ２０２に進み、上述の処理が繰り返される。また、次回の電波強度が設定値Ａ以上ではないと、通信状態プロファイル部１０７により判断された場合、Ｓ３０４に進み、帰属先の検索処理行われる（Ｓ３０４）。
【００４５】
つぎに、移動機１００が通話中（または着信の待ち受け中）であるときの電波強度に基づいて無線通信部１０１をスリープ状態に移行するときの動作について説明する。図５は、移動機１００の通話中における無線通信部１０１をスリープ状態に移行するときの動作を示すフローチャートである。
【００４６】
ＷＬＡＮ通信部１０３による通話が行われている（Ｓ４０１）。なお、着信の待ち受け中であっても良い。通話中（または着信の待ち受け中）に、ＷＬＡＮ通信の電波強度の確認周期になると（Ｓ４０２）、ＷＬＡＮ通信の電波強度が設定値Ａ以上であるか否かが通信状態監視部１０５により判断される（Ｓ４０３）。ここで通信状態監視部１０５により、電波強度が設定値Ａ以上ではないと判断された場合、Ｓ５０１に進む。Ｓ５０１以降の処理について後述する。
【００４７】
通信状態監視部１０５により、電波強度が設定値Ａ以上であると判断された場合、通信状態プロファイル部１０７によりプロファイルが確認される（Ｓ４０４）。具体的には、増減平均値算出部１０６により電波強度の履歴における増減傾向の増減平均値が算出され、そして、その平均値に基づいて今後の電波強度が増加傾向若しくは不変状態（微小の減少傾向を含んでもよい）であるか、減少傾向であるかが判断される（Ｓ４０４）。ここで、電波強度が増加傾向若しくは不変状態であると、通信状態プロファイル部１０７により判断されると、無線通信部１０１に対する電源供給を遮断し、その機能を停止させ、スリープ状態に移行させる（Ｓ４０５）。なお、すでに無線通信部１０１がスリープ状態にある場合には、その状態を継続させる。
【００４８】
また、Ｓ４０４において、電波強度が減少傾向であると、通信状態プロファイル部１０７により判断されると、さらに次回の電波強度確認時に電波強度が設定値Ａ以下であるか否かが、通信状態プロファイル部１０７により判断される（Ｓ４０６）。ここで、次回の電波強度が設定値Ａ以下であると、通信状態プロファイル部１０７により判断された場合には、Ｓ５０１に進む。次回の電波強度が設定値Ａ以下ではないと、通信状態プロファイル部１０７により判断された場合には、Ｓ４０１に戻り、上述の処理が繰り返される。
【００４９】
このように、移動機１００は、ＷＬＡＮ通信部１０３によるＷＬＡＮ通信中（または着信待ち受け中）に、その電波強度に基づいて無線通信部１０１に対する電源供給を遮断して、その機能を停止させることができる。
【００５０】
つぎに、Ｓ４０６において次回に確認される電波強度が設定値Ａ以下であると通信状態プロファイル部１０７により判断された場合、またはＳ４０３においてＷＬＡＮ通信における電波強度が設定値Ａ以上でないと通信状態プロファイル部１０７により判断された場合の処理について説明する。図６は、Ｓ４０６において次回に確認される電波強度が設定値Ａ以下であると通信状態プロファイル部１０７により判断された場合、またはＳ４０３においてＷＬＡＮ通信における電波強度が設定値Ａ以上でないと通信状態プロファイル部１０７により判断された場合における、無線通信部１０１をスリープ状態に移行するための再確認処理を行うときの移動機１００の動作を示すフローチャートである。
【００５１】
まず、無線通信部１０１による通信機能がオン（起動状態）される（Ｓ５０１）。なお、無線通信部１０１はパワーセーブモードであることが好ましい。また、無線通信部１０１による通信機能がすでにオン状態（起動状態）になっている場合は、そのオン状態は継続される。そして、ＷＬＡＮ通信部１０３による通信の電波強度の確認周期になると（Ｓ５０２）、増減平均値算出部１０６により、電波強度の履歴に基づいて電波強度の増減の傾向を示す増減平均値が算出され、算出された増減平均値に基づいて、通信状態プロファイル部１０７によりプロファイルの確認が行われる。具体的には、通信状態プロファイル部１０７により、今後の電波強度が増加傾向若しくは不変状態（微小に減少する傾向も含んでも良い）にあるか、または減少傾向にあるかが判断される（Ｓ５０３）。
【００５２】
通信状態プロファイル部１０７により、電波強度が減少傾向にあると判断された場合（Ｓ５０３）、Ｓ５０２に戻り、上述処理を繰り返す。また、通信状態プロファイル部１０７により、電波強度が増加傾向若しくは不変状態にあると判断された場合、次回の電波強度確認時に電波強度が設定値Ａ以上であるか否かが、通信状態プロファイル部１０７により判断される（Ｓ５０４）。ここで、通信状態プロファイル部１０７により、次回に確認される電波強度が設定値Ａ以上ではないと判断される場合、Ｓ５０２に戻り上述の処理を繰り返す。また、通信状態プロファイル部１０７により、次回に確認される電波強度が設定値Ａ以上であると判断される場合、無線通信部１０１に対する電源供給が遮断され、無線通信機能が停止され、スリープ状態となる（Ｓ５０５）。そして、図５におけるＳ４０２に戻り、繰り返し上述の処理が行われる。
【００５３】
なお、上述の通信状態を測定するパラメータとして電波強度を用いて説明したが、パケットロス値を用いた場合でも同様の処理を行うことができる。ただし、パケットロス値を用いた場合は、電波強度に対する扱いと逆にする必要がある。具体的には、図２のＳ１０２においては、パケットロス値が設定値以下であるか否かが判断され、設定値以下である場合には、Ｓ１０３に進み、パケットロス値が設定値以下ではない場合には、Ｓ１０４に進むように処理する必要がある。そのほか、図３のＳ２０３、Ｓ２０６、Ｓ２０７、図４のＳ３０３、Ｓ３０６、Ｓ３０７、図５のＳ４０３、Ｓ４０６、図６のＳ５０４においても同様にパケットロス値を用いた判断処理を行うことができる。
【００５４】
つぎに、本実施形態の移動機１００の作用効果について説明する。この移動機１００は、移動通信網に対して通信接続することができる無線通信部１０１とＷＬＡＮに対して通信接続することができるＷＬＡＮ通信部１０３とを備えており、予め定めた設定値に基づいて、無線通信部１０１による通信が可能か否かを通信状態監視部１０５が判断する。そして、移動機１００において、無線通信部１０１による通信が可能ではあると判断された場合には、ＷＬＡＮ通信部１０３の起動状態を停止し、無線通信部１０１による通信が可能ではないと判断された場合には、ＷＬＡＮ通信部１０３の起動状態を継続するよう、ＷＬＡＮ通信部１０３を制御することができる。これにより、無線通信部１０１が通信可能であるときには、ＷＬＡＮ通信部１０３の起動状態を停止することができ、無線通信部１０１の通信状態を確保しつつ、ＷＬＡＮ通信部１０３の起動状態による電力消費を低減することができる。
【００５５】
また、この移動機１００によれば、無線通信部１０１により検出される電波強度が予め定めた設定値以上、またはパケットロス値が設定値以下であるか否かにより、無線通信部１０１による通信が可能であるか否かを通信状態監視部１０５が判断することができる。これにより、無線通信部１０１が通信可能か否かを高精度で判断することができ、ＷＬＡＮ通信部１０３の起動状態による電力消費を低減することができる。
【００５６】
また、この移動機１００によれば、通信状態監視部１０５が無線通信部１０１による通信が可能であると判断した場合、さらに、通信状態プロファイル部１０７が無線通信部１０１による今後の通信状態を予測して、無線通信部１０１による通信が可能であるか否かを判断することができる。これにより、無線通信部１０１が現時点で通信可能であっても、今後の通信状態を予測した結果に基づいて通信可能であるか否かを判断することができ、通信状態を確保しつつ、電力消費を低減することができる。
【００５７】
また、移動機１００によれば、無線通信部１０１により検出される電波強度、またはパケットロス値の履歴に基づいて、今後の通信状態を予測することができる。これにより、高精度で今後の通信状態を予測することができる。
【００５８】
なお、上述の作用効果において、ＷＬＡＮ通信部１０３が通信可能となっている場合に、無線通信部１０１をスリープ状態に移行させるようにしても良い。
【図面の簡単な説明】
【００５９】
【図１】本実施形態に係る移動機１００のブロック図である。
【図２】通信開始時におけるＷＬＡＮ通信部１０３をスリープ状態に移行するときの移動機１００の動作を示すフローチャートである。
【図３】通話中におけるＷＬＡＮ通信部１０３をスリープ状態に移行するときの移動機１００の動作を示すフローチャートである。
【図４】ＷＬＡＮ通信部１０３をスリープ状態に移行するための再確認処理を行うときの移動機１００の動作を示すフローチャートである。
【図５】通話中における無線通信部１０１をスリープ状態に移行するときの移動機１００の動作を示すフローチャートである。
【図６】無線通信部１０１をスリープ状態に移行するための再確認処理を行うときの移動機１００の動作を示すフローチャートである。
【符号の説明】
【００６０】
１００…移動機、１０１…無線通信部、１０２…無線通信状態測定部、１０３…ＷＬＡＮ通信部、１０４…ＷＬＡＮ通信状態測定部、１０５…通信状態監視部、１０６…増減平均値算出部、１０７…通信状態プロファイル部、１０８…制御部。
【図１】
0004694328.tif 000002
【図２】
0004694328.tif 000003
【図３】
0004694328.tif 000004
【図４】
0004694328.tif 000005
【図５】
0004694328.tif 000006
【図６】
0004694328.tif 000007